【手続補正書】
【提出日】平成20年5月14日(2008.5.14)
【手続補正１】
【補正対象書類名】特許請求の範囲
【補正対象項目名】全文
【補正方法】変更
【補正の内容】
【特許請求の範囲】
【請求項１】
店舗のクーポンに関する情報を登録したクーポン情報データベースを備えたサーバと、非接触ＩＣチップを内蔵するとともにインターネット接続機能を備えた利用者の携帯電話機と、前記携帯電話機の非接触ＩＣチップに記憶された固有の識別情報を読み取る手段を備えた店舗の端末装置と、から構成されるクーポンを利用した店舗の販売促進システムであって、前記サーバは、
前記利用者が前記クーポンの取得要求の登録を行なうために、前記携帯電話機からのアクセスに基づいて、
前記クーポンを識別する情報と、前記非接触ＩＣチップに記憶された前記固有の識別情報を取得し、取得した前記クーポンを識別する情報と前記固有の識別情報とを関連付けしてクーポン取得要求データベースに登録するクーポン取得要求登録手段と、
前記店舗の端末装置から前記固有の識別情報と前記クーポンを識別する情報の受信に基づいて、
受信した前記固有の識別情報と前記クーポンを識別する情報とに関連付けして前記クーポン取得要求データベースに登録されている前記クーポンは、使用されたと判定するクーポン使用実績把握手段と、
を備えていることを特徴とするクーポンを利用した店舗の販売促進システム。
【請求項２】
前記クーポン使用実績把握手段は、前記店舗の端末装置から前記固有の識別情報と前記クーポンを識別する情報の受信に基づいて、
前記クーポン取得要求データベースであって、前記受信した前記固有の識別情報と前記クーポンを識別する情報とに関連付けされた前記クーポンに係る情報を記憶する領域に、クーポンの使用済みに係る情報を記憶する手段、を備えていることを特徴とする請求項１に記載のクーポンを利用した店舗の販売促進システム。
【請求項３】
前記クーポン情報データベースは、前記クーポンを識別する情報ごとに設定された課金単価に関する情報を備え、
前記クーポン使用実績把握手段は、前記店舗の端末装置から前記固有の識別情報と前記クーポンを識別する情報の受信に基づいて、前記クーポン情報データベースに、前記受信した前記固有の識別情報と前記クーポンを識別する情報とに関連付けされた前記クーポンの使用回数に係る情報を記憶する手段を備え、
前記サーバは、前記クーポン情報データベースに記憶された課金単価と、前記クーポンの使用回数に係る情報に基づいて、前記店舗に対する課金額を算出する課金算出手段を備えていることを特徴とする請求項１に記載のクーポンを利用した店舗の販売促進システム。
【請求項４】
前記クーポン情報データベースは、前記クーポンに関する情報として前記クーポンを識別する情報ごとに設定された課金単価に関する情報と、前記課金単価の所定の割合を前記利用者に付与するポイント数に関する情報を備え、
前記クーポン使用実績把握手段は、前記店舗の端末装置から受信した前記固有の識別情報に基づいて、受信した前記固有の識別情報に対応する前記ポイント数を求めてそのポイント数を会員データベースに累計して記憶する手段を備えていることを特徴とする請求項１に記載のクーポンを利用した店舗の販売促進システム。
【請求項５】
前記サーバは、前記利用者の携帯電話機にダウンロードするためのアプリケーションプログラムであって、前記携帯電話機から前記サーバをアクセスして該サーバから前記固有の識別情報を取得して前記非接触ＩＣチップに記憶する処理を行なう起動プログラムを備えていることを特徴とする請求項１に記載のクーポンを利用した店舗の販売促進システム。
【請求項６】
前記サーバは、前記店舗のクーポンに関する情報をインターネットに公開するＷｅｂページを備え、
前記Ｗｅｂページは、前記店舗のカテゴリごとに店舗名とその前記クーポンに関する情報と前記利用者が前記店舗から獲得できるポイント数が掲載されるとともに、前記店舗名は獲得できる前記ポイント数が多い順に表示されるＷｅｂページとされていることを特徴とする請求項１に記載のクーポンを利用した店舗の販売促進システム。
【請求項７】
前記サーバは、前記利用者を前記店舗の会員として登録した情報を記憶した店舗会員データベースと、
前記店舗の端末装置から前記固有の識別情報と前記クーポンを識別する情報の受信に基づいて、前記利用者が前記店舗の会員であるか否かを認証する店舗会員認証手段を備えていることを特徴とする請求項１に記載のクーポンを利用した店舗の販売促進システム。
【請求項８】
前記利用者の携帯電話機は、２次元コードを撮像する機能を備え、
前記クーポンの取得要求の登録を行なうために前記携帯電話機から前記サーバをアクセスする手段は、前記サーバのＵＲＬと前記クーポンを識別する情報を表した２次元コードを前記携帯電話機が撮像する手段であることを特徴とする請求項１に記載のクーポンを利用した店舗の販売促進システム。
【請求項９】
前記クーポンを利用した店舗の販売促進システムは、前記サーバをアクセスする代理店の端末装置を備え、
前記サーバは、前記利用者の携帯電話機が前記サーバをアクセスして前記クーポンの取得要求の登録を行なうための前記代理店を識別する代理店識別番号を含む２次元コードを作成するための情報を、前記代理店の端末装置に送信する手段を備えていることを特徴とする請求項１から請求項９のいずれかに記載のクーポンを利用した店舗の販売促進システム。
【手続補正２】
【補正対象書類名】明細書
【補正対象項目名】０００９
【補正方法】変更
【補正の内容】
【０００９】  本発明は、店舗のクーポンに関する情報を登録したクーポン情報データベースを備えたサーバと、非接触ＩＣチップを内蔵するとともにインターネット接続機能を備えた利用者の携帯電話機と、前記携帯電話機の非接触ＩＣチップに記憶された固有の識別情報を読み取る手段を備えた店舗の端末装置と、から構成されるクーポンを利用した店舗の販売促進システムであって、前記サーバは、
前記利用者が前記クーポンの取得要求の登録を行なうために、前記携帯電話機からのアクセスに基づいて、
前記クーポンを識別する情報と、前記非接触ＩＣチップに記憶された前記固有の識別情報を取得し、取得した前記クーポンを識別する情報と前記固有の識別情報とを関連付けしてクーポン取得要求データベースに登録するクーポン取得要求登録手段と、
前記店舗の端末装置から前記固有の識別情報と前記クーポンを識別する情報の受信に基づいて、
受信した前記固有の識別情報と前記クーポンを識別する情報とに関連付けして前記クーポン取得要求データベースに登録されている前記クーポンは、使用されたと判定するクーポン使用実績把握手段と、を備えていることを特徴としている。
【手続補正３】
【補正対象書類名】明細書
【補正対象項目名】００１０
【補正方法】変更
【補正の内容】
【００１０】  さらに、本発明のクーポンを利用した店舗の販売促進システムにおいて、前記クーポン使用実績把握手段は、前記店舗の端末装置から前記固有の識別情報と前記クーポンを識別する情報の受信に基づいて、
前記クーポン取得要求データベースであって、前記受信した前記固有の識別情報と前記クーポンを識別する情報とに関連付けされた前記クーポンに係る情報を記憶する領域に、クーポンの使用済みに係る情報を記憶する手段、を備えていることを特徴としている。
【手続補正４】
【補正対象書類名】明細書
【補正対象項目名】００１１
【補正方法】変更
【補正の内容】
【００１１】  さらに、本発明のクーポンを利用した店舗の販売促進システムにおいて、前記クーポン情報データベースは、前記クーポンを識別する情報ごとに設定された課金単価に関する情報を備え、
前記クーポン使用実績把握手段は、前記店舗の端末装置から前記固有の識別情報と前記クーポンを識別する情報の受信に基づいて、前記クーポン情報データベースに、前記受信した前記固有の識別情報と前記クーポンを識別する情報とに関連付けされた前記クーポンの使用回数に係る情報を記憶する手段を備え、
前記サーバは、前記クーポン情報データベースに記憶された課金単価と、前記クーポンの使用回数に係る情報に基づいて、前記店舗に対する課金額を算出する課金算出手段を備えていることを特徴としている。
【手続補正５】
【補正対象書類名】明細書
【補正対象項目名】００１２
【補正方法】変更
【補正の内容】
【００１２】  さらに、本発明のクーポンを利用した店舗の販売促進システムにおいて、前記クーポン情報データベースは、前記クーポンに関する情報として前記クーポンを識別する情報ごとに設定された課金単価に関する情報と、前記課金単価の所定の割合を前記利用者に付与するポイント数に関する情報を備え、
前記クーポン使用実績把握手段は、前記店舗の端末装置から受信した前記固有の識別情報に基づいて、受信した前記固有の識別情報に対応する前記ポイント数を求めてそのポイント数を会員データベースに累計して記憶する手段を備えていることを特徴としている。
【手続補正６】
【補正対象書類名】明細書
【補正対象項目名】００１３
【補正方法】変更
【補正の内容】
【００１３】  さらに、本発明のクーポンを利用した店舗の販売促進システムにおいて、前記サーバは、前記利用者の携帯電話機にダウンロードするためのアプリケーションプログラムであって、前記携帯電話機から前記サーバをアクセスして該サーバから前記固有の識別情報を取得して前記非接触ＩＣチップに記憶する処理を行なう起動プログラムを備えていることを特徴としている。
【手続補正７】
【補正対象書類名】明細書
【補正対象項目名】００１４
【補正方法】変更
【補正の内容】
【００１４】  さらに、本発明のクーポンを利用した店舗の販売促進システムにおいて、前記店舗のクーポンに関する情報をインターネットに公開するＷｅｂページを備え、
前記Ｗｅｂページは、前記店舗のカテゴリごとに店舗名とその前記クーポンに関する情報と前記利用者が前記店舗から獲得できるポイント数が掲載されるとともに、前記店舗名は獲得できる前記ポイント数が多い順に表示されるＷｅｂページとされていることを特徴としている。
【手続補正８】
【補正対象書類名】明細書
【補正対象項目名】００１５
【補正方法】変更
【補正の内容】
【００１５】  さらに、本発明のクーポンを利用した店舗の販売促進システムにおいて、前記サーバは、前記利用者を前記店舗の会員として登録した情報を記憶した店舗会員データベースと、
前記店舗の端末装置から前記固有の識別情報と前記クーポンを識別する情報の受信に基づいて、前記利用者が前記店舗の会員であるか否かを認証する店舗会員認証手段を備えていることを特徴としている。
【手続補正９】
【補正対象書類名】明細書
【補正対象項目名】００１６
【補正方法】変更
【補正の内容】
【００１６】  さらに、本発明のクーポンを利用した店舗の販売促進システムにおいて、前記利用者の携帯電話機は、２次元コードを撮像する機能を備え、
前記クーポンの取得要求の登録を行なうために前記携帯電話機から前記サーバをアクセスする手段は、前記サーバのＵＲＬと前記クーポンを識別する情報を表した２次元コードを前記携帯電話機が撮像する手段であることを特徴としている。
【手続補正１０】
【補正対象書類名】明細書
【補正対象項目名】００１７
【補正方法】変更
【補正の内容】
【００１７】  さらに、本発明のクーポンを利用した店舗の販売促進システムは、前記サーバをアクセスする代理店の端末装置を備え、
前記サーバは、前記利用者の携帯電話機が前記サーバをアクセスして前記クーポンの取得要求の登録を行なうための前記代理店を識別する代理店識別番号を含む２次元コードを作成するための情報を、前記代理店の端末装置に送信する手段を備えていることを特徴としている。
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００４６
【補正方法】変更
【補正の内容】
【００４６】  （２）利用者は、携帯電話機２ａ等を操作して、サーバ１が携帯電話機用に公開する携帯電話機用サイトをアクセスして、クーポン情報を検索する。そして、希望するクーポン情報をクリックして、希望するクーポンの取得要求を行なう。
【手続補正１５】
【補正対象書類名】明細書
【補正対象項目名】００４７
【補正方法】変更
【補正の内容】
【００４７】  （３）広告媒体８ａ等に印刷されている２次元コードを利用者の携帯電話機２ｄ等で撮像して、この２次元コードが表しているサーバ１のＵＲＬをアクセスして、希望するクーポンの取得要求を登録する。
【手続補正１６】
【補正対象書類名】明細書
【補正対象項目名】００５３
【補正方法】変更
【補正の内容】
【００５３】  また、クーポン使用実績把握プログラムＰ８は、クーポン番号別にクーポンに関する情報を記録するクーポン情報データベースＤＴ２について、使用されたクーポン番号に関する情報を記録する領域に、クーポンの使用済み情報として、少なくとも、クーポンの使用回数を加算して記憶する。さらに、クーポンの使用済み情報として累計ポイント付与数、課金額（課金累計額）、等を記憶してもよい。
【手続補正１７】
【補正対象書類名】明細書
【補正対象項目名】００６７
【補正方法】変更
【補正の内容】
【００６７】  代理店データベースＤＴ６は、代理店に関する情報を登録したデータベースである。図８に示すように、代理店データベースＤＴ６には、代理店ごとに、代理店識別コード、代理店名称、住所、サーバ１をアクセスするためのＩＤとパスワード、等に関するデータが記憶される。
【手続補正１８】
【補正対象書類名】明細書
【補正対象項目名】００６９
【補正方法】変更
【補正の内容】
【００６９】（ステップＳ１）
利用者は端末装置３ａ等を用いて、サーバ１のＷｅｂサイトのＷｅｂページ、例えば、ホームページ、または、本システムを利用するための検索サイトをアクセスする。このＷｅｂページには、起動プログラムをダウンロードするダウンロード用Ｗｅｂサイトにリンクするためのダウンロード表示領域ｄ１（図１１参照）が設定されている。
【手続補正１９】
【補正対象書類名】明細書
【補正対象項目名】００８６
【補正方法】変更
【補正の内容】
【００８６】  続いて、クーポン取得要求登録プログラムＰ６は、携帯電話機２ａ等から取得したクーポン番号についてクーポン情報データベースＤＴ２に登録されている店舗識別コード、有効期間、等のデータを取り出して、前記したクーポン取得要求データベースＤＴ３に記憶する処理を行なう。このとき、携帯電話機２ａ等から取得したカードＩＤもクーポン取得要求データベースＤＴ３に記憶する。
【手続補正２０】
【補正対象書類名】明細書
【補正対象項目名】００８８
【補正方法】変更
【補正の内容】
【００８８】（ステップＳ１５）
ステップＳ１５は、利用者がサーバ１にクーポンの取得要求を登録したクーポンを、店舗において使用する操作になる。
利用者が店舗にでかけて、クーポン対象の商品の購入、またはサービスを受けると、利用者は自分の携帯電話機２ａ等を店舗の端末装置４ａ等に接続されている非接触ＩＣカードリーダ／ライター５ａ等にかざす操作を行なう。すると、店舗の端末装置４ａ等に搭載されているプログラムは、携帯電話機２ａ等の非接触ＩＣチップに記憶されているカードＩＤを読み込んで、この読み取ったカードＩＤと店舗識別コードをサーバ１に送信する処理を行なう。
【手続補正２１】
【補正対象書類名】明細書
【補正対象項目名】００９１
【補正方法】変更
【補正の内容】
【００９１】  （１）クーポン情報データベースＤＴ２に記憶するデータ項目のうち、クーポン番号に関して、利用者使用回数を「＋１」する処理など、クーポン情報データベースＤＴ２に記憶するデータの更新処理を行なう。
【手続補正２２】
【補正対象書類名】明細書
【補正対象項目名】００９３
【補正方法】変更
【補正の内容】
【００９３】  （３）クーポン使用履歴データベースＤＴ４に、利用者が使用したクーポン番号に関する情報等を、クーポン使用履歴データとして記憶する処理を行なう。
【手続補正２３】
【補正対象書類名】明細書
【補正対象項目名】００９４
【補正方法】変更
【補正の内容】
【００９４】  （４）店舗の端末装置４ａ等から取得したカードＩＤのデータに基づいて会員データベースＤＴ５を検索して、該当するカードＩＤが記憶されている会員に関する情報を記憶する領域のうち、現在のポイント数を記憶する欄に、今回のクーポンの使用により獲得したポイントを加算して記憶する処理を行なう。なお、利用者が獲得したポイント数は、該当するクーポン番号についてクーポン情報データベースＤＴ２を参照して求めることができる。
【手続補正２４】
【補正対象書類名】明細書
【補正対象項目名】００９６
【補正方法】変更
【補正の内容】
【００９６】  本発明においては、利用者がクーポンの取得要求をサーバ１に登録する方法として、前記したように、広告媒体８ａ等に印刷されている２次元コード７ａ等を利用者の携帯電話機２ｄで撮像して、サーバ１をアクセスする方法を採用することができる。なお、この広告媒体８ａ等とは、各種の雑誌、情報誌、新聞、チラシ広告等であって、各店舗の商品やサービスに関する広告と共に、クーポンに関する情報を得るための２次元コードが印刷されている印刷物を示す。そして、このような方法を採用するために、本システムのサーバ１は、広告媒体８ａ等を印刷する代理店用に、サーバ１をアクセスしてクーポンに関する情報を得るためのＷｅｂページを備えるようにする。
【手続補正２５】
【補正対象書類名】明細書
【補正対象項目名】０１０１
【補正方法】変更
【補正の内容】
【０１０１】  利用者が広告媒体８ａに印刷された２次元コードを携帯電話機２ｄ等で撮像して、クーポンの取得要求の登録に対する操作と、これに対応するサーバ１の処理は、前記ステップＳ１３に記載した内容と同一になる。なお、サーバ１は、２次元コード７ａ等を撮像した携帯電話機２ｄ等から代理店識別コードも取得することができるので、この代理店コードをクーポン取得要求データベースＤＴ３に記憶する。これにより、代理店が発行した広告媒体８ａ等からのクーポン取得要求に対するクーポンの使用実績を代理店別に把握することが可能になるので、システムの運営者は、このクーポンの使用実績に基づいて、代理店に対価を支払うようにする。